(57)【要約】【課題】磁気ディスクとランプ機構との間の接触に起因する摩擦塵埃の発生を抑制する。【解決手段】磁気ディスク１２Ａ，１２Ｂとランプ機構本体３６（ガイド・保持部３５）との間の非接触状態が維持されつつ磁気ディスクの外縁部の回転軸方向に関する位置が変位したときに、磁気ディスクの外縁部と接触して、磁気ディスクとは反対方向に回転する回転部（５２，５４Ａ，５４Ｂ）を備えているため、ＨＤＤに外部から衝撃が加えられる等により、磁気ディスクにたわみ変形が生じても、回転する磁気ディスクとランプ機構本体との接触による摩擦塵埃の発生を防止することができ、また、回転部の回転により、磁気ディスクは、ほとんど摩擦が無い状態でガイドされる。【選択図】図２
2009199680.tif 000002
【特許請求の範囲】
【請求項１】
少なくとも一部が、回転軸を中心に回転するディスク媒体の外縁部との間に所定間隔をあけて対向し、前記ディスク媒体上を浮上可能なヘッドスライダを前記ディスク媒体から外れた位置で保持するランプ部と、
前記ランプ部に対して回転自在に設けられ、前記ディスク媒体の外縁部の前記回転軸に平行な方向に関する位置が変位したときに、前記ディスク媒体の外縁部と接触する回転部と、を備えるランプ機構。
【請求項２】
前記回転部の前記ディスク媒体と接触する部分は、前記回転軸に対して傾斜したテーパー面とされていることを特徴とする請求項１に記載のランプ機構。
【請求項３】
前記回転部の少なくとも一部の、前記ディスク媒体との接触による前記回転軸に平行な方向への移動に応じて弾性変形する弾性部材を更に備える請求項１又は２に記載のランプ機構。
【請求項４】
前記回転部の少なくとも一部に、潤滑剤が塗布されることを特徴とする請求項１〜３のいずれか一項に記載のランプ機構。
【請求項５】
前記潤滑剤は、前記ディスク媒体の潤滑層を形成する潤滑剤と同一材料であることを特徴とする請求項４に記載のランプ機構。
【請求項６】
回転軸を中心に回転する磁気ディスク媒体と、
前記磁気ディスク媒体に対する情報の記録再生を行うヘッドを有するヘッドスライダと、
前記ヘッドスライダを、前記磁気ディスク媒体から外れた位置で保持する請求項１〜５のいずれか一項に記載のランプ機構と、を備える磁気ディスク装置。
【発明の詳細な説明】
【技術分野】
【０００１】
本発明はランプ機構及び磁気ディスク装置に関し、特にヘッドスライダを、ディスク媒体から外れた位置で保持するランプ機構、及び該ランプ機構を具備する磁気ディスク装置に関する。
【背景技術】
【０００２】
従来より、ハードディスクドライブ（以下、「ＨＤＤ」と呼ぶ）では、ディスク媒体（磁気ディスク）の回転により発生する空気流から浮力を受けて、ヘッドスライダがディスク媒体上を浮上している間に、ヘッドスライダに設けられた記録再生用のヘッドを用いてディスク媒体に保存されているデータの読み出し（再生）や、ディスク媒体に対するデータの書込み（記録）を行う。この種のＨＤＤでは、ディスク媒体の回転が停止している間は、装置信頼性の確保の観点から、ヘッドがディスク媒体表面に衝突しないようにする必要がある。このため、ディスク媒体近傍には、ディスク媒体が回転を停止している間にヘッドスライダをパーキングさせる（保持する）ためのランプ機構が設けられている。
【０００３】
このランプ機構には、ヘッドスライダを保持するための保持面と、当該保持面とディスク媒体表面との間をヘッドスライダがスムーズに移動するようにするための傾斜面とが設けられている。この傾斜面は、一般的に、ディスク媒体の外縁部からディスク媒体の内側に向けて張り出した状態となっている。
【０００４】
ところで、ＨＤＤに対して外部から衝撃や振動が加えられると、ディスク媒体にはスピンドル軸に対して固定される部分にがたつきが生じたり、ディスク媒体自体のたわみなどが生じることがある。また、ディスク媒体の回転によってＨＤＤ内に発生した気流の影響でディスク媒体にフラッタリングと呼ばれるうねりが発生することもある。このようなたわみやうねりなどの変形がディスク媒体に生じると、高速回転するディスク媒体とランプ機構とが衝突・接触するおそれがある。
【０００５】
これに対し、特許文献１、２には、ランプ部材の一部（具体的には、ディスクの最外周部に対向する箇所）に段差部（又は突出面）を設けて、ディスクの最外周部と段差部（又は突出面）とを積極的に接触させることで、ディスクのロード・アンロード領域（又は記録面）を保護する技術が開示されている。また、特許文献３には、ランプの一部（具体的には、磁気ディスクの外周縁が接触すると想定される部分）に逃げ空間を配することにより、磁気ディスクの外周縁より先に切削作用の小さい記録面をランプに接触させて、ランプからの粉塵（摩擦塵埃）の発生を抑制する技術が開示されている。
【０００６】
【特許文献１】特開２００２−２７９７４４号公報
【特許文献２】特開２００６−１２４０５号公報
【特許文献３】特開２００６−３２３９３９号公報
【発明の開示】
【発明が解決しようとする課題】
【０００７】
上記特許文献１〜３に記載の技術は、変形したディスク媒体がランプに接触する際に、ディスク媒体の特定箇所（外周縁又は記録面）が接触するようにすることで、粉塵の発生を抑制したり、ディスクの特定部分を保護したりするものであるが、いずれにしてもランプ（ランプ部材、ランプ機構）とディスク媒体との接触（衝突）は避けられない。このように、ランプとディスク媒体とが接触して、ランプが磨耗すると、磨耗塵埃がＨＤＤ内部に飛散して記録再生ヘッドの表面汚れやディスク媒体の傷つきを誘発し、書込みエラーや読み取りエラーが生じてしまうおそれがある。
【０００８】
そこで本発明は上記の課題に鑑みてなされたものであり、ディスク媒体との接触による磨耗塵埃の発生を抑制することが可能なランプ機構を提供することを目的とする。また、本発明は、高精度な記録再生が可能な磁気ディスク装置を提供することを目的とする。
【課題を解決するための手段】
【０００９】
上記課題を解決するために、本明細書開示のランプ機構は、少なくとも一部が、回転軸を中心に回転するディスク媒体の外縁部との間に所定間隔をあけて対向し、前記ディスク媒体上を浮上可能なヘッドスライダを前記ディスク媒体から外れた位置で保持するランプ部と、前記ランプ部に対して回転自在に設けられ、前記ディスク媒体の外縁部の前記回転軸に平行な方向に関する位置が変位したときに、前記ディスク媒体の外縁部と接触する回転部と、を備えている。
【００１０】
これによれば、ディスク媒体の外縁部の回転軸方向に関する位置が変位して、ディスク媒体とランプ部とが接触しそうになっても、ディスク媒体の外縁部が回転部に接触するので、ディスク媒体とランプ部との接触を抑制することができる。また、回転部はディスク媒体との接触により回転し、ディスク媒体をガイドするので、ディスク媒体と回転部との間に摩擦はほとんど発生しない。したがって、ディスク媒体との接触に起因する磨耗塵埃の発生を効果的に抑制することが可能となる。
【００１１】
また、本明細書に開示の磁気ディスク装置は、回転軸を中心に回転する磁気ディスク媒体と、前記磁気ディスク媒体に対する情報の記録再生を行うヘッドを有するヘッドスライダと、前記ヘッドスライダを、前記磁気ディスク媒体から外れた位置で保持する上記塵磨耗埃の発生が抑制されたランプ機構と、を備えている。
【００１２】
かかる場合には、ランプ機構からの磨耗塵埃の発生が抑制されているので、記録再生ヘッドの表面汚れや塵埃による磁気ディスクの傷つきを抑制することが可能となる。記録再生ヘッドの表面汚れの抑制により、記録再生における信号品質を確保することが出来る。そして、磁気ディスクの傷つきの抑制により再生信号の破損を防止し、装置信頼性を確保することが可能となる。
【発明の効果】
【００１３】
本明細書に開示のランプ機構によれば、ディスク媒体との接触による磨耗塵埃の発生を抑制することができるという効果を奏する。また、本明細書に開示の磁気ディスク装置によれば、高い装置信頼性を有することができるという効果を奏する。
【発明を実施するための最良の形態】
【００１４】
以下、本発明の一実施形態について図１〜図４に基づいて詳細に説明する。
【００１５】
図１は、一実施形態に係る磁気ディスク装置としてのハードディスクドライブ（ＨＤＤ）１００の内部構成を示している。この図１に示すように、ＨＤＤ１００は、箱型の筺体１０と、筺体１０内部の空間（収容空間）に収容された２枚の磁気ディスク１２Ａ、１２Ｂ（図１では、磁気ディスク１２Ｂは磁気ディスク１２Ａの裏面側に隠れた状態となっている）、スピンドルモータ１４、ヘッドスライダ１６、ヘッド・スタック・アッセンブリ（ＨＳＡ）２０、ランプ機構２２等と、を備える。なお、筺体１０は、実際には、ベースと上蓋（トップ・カバー）とにより構成されているが、図１では、図示の便宜上、ベースのみを図示している。
【００１６】
磁気ディスク１２Ａ，１２Ｂは、表面と裏面のそれぞれが記録面となっており、両磁気ディスクは、スピンドルモータ１４によって、その回転軸回りに一体となって、例えば１００００ｒｐｍ〜１５０００ｒｐｍなどの高速度で回転駆動される。磁気ディスク１２Ａ，１２Ｂは、例えばアルミニウムやガラスにより形成される基板の両面に、Ｃｒ合金系などの下地層、ＣｏＣｒＰｔ系合金から成る磁性層、ＤＬＣ（ダイヤモンド・ライク・カーボン膜）などの保護膜、及びパーフルオロポリエーテルを主鎖として末端基が水酸基（−ＯＨ）、ベンゼン環等よりなる有機系液体潤滑剤を用いて形成される潤滑層が、順に積層されて構成されている。
【００１７】
ヘッドスライダ１６は、例えば、薄膜コイルパターンで生成される磁界を利用して磁気ディスク１２Ａ（又は１２Ｂ）にデータを書き込む記録素子と、スピンバルブ膜やトンネル接合膜の抵抗変化を利用して磁気ディスク１２Ａ（又は１２Ｂ）からデータを読み出す巨大磁気抵抗効果素子（ＧＭＲ）やトンネル接合磁気抵抗効果素子（ＴＭＲ）などの再生素子とから構成される記録再生ヘッドを有している。このヘッドスライダ１６は、図１では１つしか図示していないが、実際には、磁気ディスク１２Ａの表面用及び裏面用、磁気ディスク１２Ｂの表面用及び裏面用の合計４つのヘッドスライダが、スピンドルモータ１４の回転軸に平行な方向（紙面直交方向）に所定間隔を隔てて配置されている。
【００１８】
ＨＳＡ２０は、支軸１８に対して回転自在に連結され、ボイスコイルモータ２４により支軸１８を中心とした揺動（図１において一点鎖線で示した軌道に沿った揺動）が実現される。このＨＳＡ２０は、４つのヘッドスライダ１６それぞれに対応する、４本のヘッド・アーム２６と、その一端部が各ヘッド・アーム２６の先端部に取り付けられた４本の弾性サスペンション２８とを有している。ヘッド・アーム２６は、例えばステンレス板を打ち抜き加工したり、アルミニウム材料を押し出し加工することにより成型される。
【００１９】
各弾性サスペンション２８の先端では、いわゆるジンバルばね（不図示）の働きで、各ヘッドスライダ１６が片持ち支持されている。ヘッドスライダ１６には、磁気ディスク１２Ａ，１２Ｂの表面又は裏面に向かって弾性サスペンション２８からの押し付け力が作用し、一方、磁気ディスク１２Ａ，１２Ｂが回転すると、当該回転に応じて磁気ディスク１２Ａ，１２Ｂ表面又は裏面で生成される気流の働きでヘッドスライダ１６に対して浮力が作用する。そして、この浮力と、前述した押し付け力とのバランスで磁気ディスク１２Ａ，１２Ｂの回転中に比較的高い剛性でヘッドスライダ１６が浮上し続けるようになっている。このようなヘッドスライダ１６の浮上中にヘッド・アーム２６が支軸１８を中心に揺動することにより、記録再生ヘッドを磁気ディスク１２Ａ，１２Ｂ上の所望の記録トラックに位置決めすることができる。
【００２０】
上記のように構成されるＨＳＡ２０は、磁気ディスク１２Ａ，１２Ｂの回転が止まっている状態では、所定の静止位置（本実施形態では、図１に示すＨＳＡ２０の位置とする）に位置決めされる。この静止位置は、具体的には、弾性サスペンション２８の先端が磁気ディスク１２Ａ，１２Ｂの外縁部よりも外側に配置される位置である。この静止位置への移動は、前述したヘッド・アーム２６の揺動により実現することができる。
【００２１】
ランプ機構２２は、ＨＳＡ２０（実際には、弾性サスペンション２８の先端に設けられたリフト・タブ３０（図１参照））の移動軌跡上に設けられており、ヘッド・アーム２６が静止位置に位置決めされた状態で、リフト・タブ３０を受け止める（保持する）ことが可能となっている。
【００２２】
ここで、ランプ機構２２の構成について、図２〜図４に基づいて詳細に説明する。
【００２３】
ランプ機構２２は、図２の斜視図からわかるように、筺体１０に対してねじ４２Ａ，４２Ｂにより固定されたランプ部としてのランプ機構本体３６と、ランプ機構本体３６内に一部埋め込まれた状態で設けられた回転部としての回転機構３８と、を有している。
【００２４】
ランプ機構本体３６は、例えば硬質プラスチック材料などにより形成され、筺体１０にネジ留め固定される固定部３７ａと、固定部３７ａに一体的に接続された上方から見て略三角形状の形状を有する本体部３７ｂと、本体部３７ｂに固定された略Ｕ字状（コ字状）のガイド・保持部３５と、を有している。
【００２５】
ガイド・保持部３５は、水平面に平行な平面４４ａ〜４４ｄと傾斜面（スライド面）３４ａ〜３４ｄとを有している。平面４４ａ〜４４ｄは、磁気ディスク１２Ａ（１２Ｂ）の回転が停止している間、各弾性サスペンション２８の先端に設けられたリフト・タブ３０を保持するための面である。したがって、以下においては平面４４ａ〜４４ｄを「保持面４４ａ〜４４ｄ」とも呼ぶものとする。スライド面３４ａ（３４ｂ〜３４ｄ）は、リフト・タブ３０が、保持面４４ａ（４４ｂ〜４４ｄ）と磁気ディスク１２Ａ（１２Ｂ）の記録面との間を円滑に移動するために、リフト・タブ３０をスライドさせるための面である。
【００２６】
ランプ機構本体３６における、図２の手前側の角部には、２つの凹部３６ａ、３６ｂが上下方向に所定間隔を隔てた状態で形成されている。これら凹部３６ａ、３６ｂは、磁気ディスク１２Ａ，１２Ｂの外縁部形状に倣った形状（円弧状の形状）を有しており、図１に示すように、当該凹部には、磁気ディスク１２Ａ，１２Ｂの外縁部の一部が入り込んだ状態となっている。
【００２７】
このように構成されるランプ機構本体３６は、以下の作用を有している。すなわち、磁気ディスク１２Ａ，１２Ｂの回転が停止する前段階において、記録再生ヘッドによる情報（データ）の記録（書込み）や再生（読み出し）が完了すると、ボイスコイルモータ２４は、前述した静止位置に向けて、ＨＳＡ２０（ヘッド・アーム２６）を駆動（揺動）するが、ヘッドスライダ１６が磁気ディスク１２Ａ，１２Ｂの最外周近傍に到達すると、リフト・タブ３０がランプ機構本体３６のスライド面３４ａ〜３４ｄに接触し、更にボイスコイルモータ２４がＨＳＡ２０を駆動（揺動）することにより、リフト・タブ３０がスライド面３４ａ〜３４ｄに沿って移動する。この場合、リフト・タブ３０がスライド面３４ａ〜３４ｄに沿って移動することにより、ヘッドスライダ１６は、磁気ディスク１２Ａ、１２Ｂから徐々に遠ざかっていく。こうして、リフト・タブ３０が保持面４４ａ〜４４ｄそれぞれに到達することにより、ＨＳＡ２０が静止位置に位置決めされる。
【００２８】
また、上記とは逆に、磁気ディスク１２Ａ，１２Ｂに対する情報の記録／再生を開始する際には、磁気ディスク１２Ａ，１２Ｂの回転開始後、回転が定常状態に達した段階で、ボイスコイルモータ２４が、ＨＳＡ２０（ヘッド・アーム２６）を、先ほどとは逆方向に駆動（揺動）することにより、リフト・タブ３０が、保持面４４ａ〜４４ｄ→スライド面３４ａ〜３４ｄ→磁気ディスク１２Ａ，１２Ｂの表面、の順に移動する。これにより、各ヘッドスライダ１６と磁気ディスク１２Ａ，１２Ｂの記録面のそれぞれとが向かい合う。ヘッドスライダ１６には、上記移動中から磁気ディスク１２Ａ，１２Ｂの回転により生成される気流によって浮上力が与えられているので、リフト・タブ３０がスライド面３４ａ〜３４ｄから離れた後も磁気ディスク１２Ａ，１２Ｂ表面を浮上し続けることができる。
【００２９】
図２に戻り、回転機構３８は、ランプ機構本体３６のガイド・保持部３５内に組み込まれた状態となっている。この回転機構３８は、図２のＡ−Ａ線断面図である図３に示すように、上下方向に延びるシャフト５２と、シャフト５２に固定されたローラ５４Ａ，５４Ｂと、シャフト５２を回転可能に支持するボールベアリング５６Ａ，５６Ｂとを有している。
【００３０】
シャフト５２は、ガイド・保持部３５を貫通した状態で設けられ、ガイド・保持部３５に形成された貫通孔６７ａ，６７ｂ，６７ｃ，６７ｄのそれぞれに対する非接触状態（例えば、０．１ｍｍの隙間が形成された状態）が維持されている。
【００３１】
ローラ５４Ａ（５４Ｂ）は、樹脂、金属、セラミック等から成型された略円筒状の部材から成り、その上端部近傍及び下端部近傍には、テーパー形状を有するテーパー部１５４ａ，１５４ｂ（１５４ｃ，１５４ｄ）が形成されている。このテーパー部１５４ａ，１５４ｂ（１５４ｃ，１５４ｄ）の磁気ディスク１２Ａ，１２Ｂの回転軸方向（紙面上下方向）に対する角度は、磁気ディスク１２Ａ，１２Ｂの面取り加工した外周縁部１１２ａの紙面上下方向に対する角度と略同一に設定されている。ローラ５４Ａ（５４Ｂ）は、ガイド・保持部３５に形成された空間６８ａ，６８ｂ内に、収容された状態となっている。
【００３２】
ボールベアリング５６Ａ、５６Ｂとしては、例えば直径２ｍｍの微小な軸受を採用することができる。これらのうち、ボールベアリング５６Ａは、その内輪がシャフト５２の上端に固定され、その外輪がガイド・保持部３５に固定されている。また、ボールベアリング５６Ｂは、その内輪がシャフト５２の下端に固定され、その外輪がガイド・保持部３５に固定されている。ボールベアリング５６Ａの上側及びボールベアリング５６Ｂの下側には、蓋部材５８が、ガイド・保持部３５の上面又は下面に対してフラットな状態で設けられている。この蓋部材５８は、ボールベアリングの潤滑に用いられる潤滑剤が、ボールベアリングの回転によって生じる風圧によって外部（ＨＤＤ１００の内部）に飛散するのを防止する役割を果たしている。
【００３３】
ここで、本実施形態では、ボールベアリング５６Ａ，５６Ｂの潤滑に用いられる潤滑剤として、磁気ディスク１２Ａ，１２Ｂを製造する際に潤滑層として用いられる潤滑剤（パーフルオロポリエーテルを主鎖として末端基が水酸基（−ＯＨ）、ベンゼン環等よりなる有機系液体潤滑剤）と同一材料の潤滑剤を用いることとしている。このような潤滑剤を用いることにより、仮に、ボールベアリング５６Ａ，５６Ｂで用いられている潤滑剤が外部に飛散して磁気ディスク１２Ａ，１２Ｂの表面（記録面）に付着した場合でも、それによる磁気ディスク１２Ａ，１２Ｂへの影響を抑制することができる。なお、ボールベアリング５６Ａ、５６Ｂに代えて、円筒ころ軸受など、その他のころ軸受を用いることとしても良い。
【００３４】
上記のように構成される回転機構３８では、ＨＤＤ１００に外部から衝撃が加えられる等により、磁気ディスク１２Ａ，１２Ｂにたわみやうねり等の変形が生じ、図４に示すように、磁気ディスク１２Ａ，１２Ｂの外縁部が上方に変位したとしても、ローラ５４Ａ，５４Ｂのテーパー部１５４ａ，１５４ｃが、磁気ディスク１２Ａ，１２Ｂの外縁部と接触して、磁気ディスク１２Ａ，１２Ｂとは反対方向に回転するようになっている。すなわち、磁気ディスク１２Ａ，１２Ｂとランプ機構本体３６（ガイド・保持部３５）とは一切接触しないようになっている。また、同様に、磁気ディスク１２Ａ，１２Ｂの外縁部が下方に変位したとしても、磁気ディスク１２Ａ，１２Ｂの外縁部がローラ５４Ａ，５４Ｂのテーパー部１５４ｂ，１５４ｄに接触するので、磁気ディスク１２Ａ，１２Ｂとランプ機構本体３６（ガイド・保持部３５）とは一切接触しないようになっている。
【００３５】
以上説明したように、本実施形態のランプ機構２２によると、回転する磁気ディスク１２Ａ，１２Ｂとランプ機構本体３６（ガイド・保持部３５）とが一切接触しないようになっていることから、ランプ機構本体３６（ガイド・保持部３５）からの摩擦塵埃の発生を防止することができる。更に、磁気ディスク１２Ａ，１２Ｂの外周縁がローラ５４Ａ，５４Ｂに接触すると、ローラ５４Ａ，５４Ｂは、シャフト５２とともに回転（磁気ディスク１２Ａ，１２Ｂとは反対方向に回転）し、磁気ディスク１２Ａ，１２Ｂをガイドするので、磁気ディスク１２Ａ，１２Ｂとローラ５４Ａ，５４Ｂとの間には摩擦はほとんど発生しない。このため、本実施形態では、ローラ５４Ａ，５４Ｂからの摩擦塵埃の発生も効果的に抑制することが可能である。
【００３６】
また、本実施形態のＨＤＤ１００によると、磁気ディスク１２Ａ、１２Ｂとランプ機構２２との間における摩擦塵埃の発生が効果的に抑制されているので、磨耗塵埃がＨＤＤ１００内部に飛散することによる、記録再生ヘッドの表面汚れを抑制することができる。また、磨耗塵埃による磁気ディスク１２Ａ，１２Ｂの傷付きを抑制することができる。これにより、書込みエラーや読み取りエラーの発生を抑制することが可能である。
【００３７】
また、本実施形態では、ローラ５４Ａ，５４Ｂの磁気ディスク１２Ａ，１２Ｂと接触する部分が、磁気ディスク１２Ａ，１２Ｂの面取り加工した外周縁部１１２ａと略同一角度のテーパー形状を有するテーパー部１５４ａ〜１５４ｄとされていることから、磁気ディスク１２Ａ、１２Ｂと、テーパー部１５４ａ〜１５４ｄとが少なくとも線接触する。これにより、磁気ディスク１２Ａ、１２Ｂと、テーパー部１５４ａ〜１５４ｄとが点接触するような場合と比較して、ローラ５４Ａ，５４Ｂを効率良く回転させることが可能である。
【００３８】
また、本実施形態では、回転機構３８において、磁気ディスク１２Ａ，１２Ｂの潤滑層を形成する潤滑剤と同一材料の潤滑剤を用いることとしているので、仮に潤滑剤が磁気ディスク１２Ａ，１２Ｂの表面（記録面）に飛散した場合であっても、記録再生ヘッドによる書込み精度や読み取り精度への影響を抑制することができる。
【００３９】
また、本実施形態では、１本のシャフト５２に２つのローラ５４Ａ，５４Ｂを一体的に固定し、ローラ５４Ａ，５４Ｂの少なくとも一方に磁気ディスクが接触した場合に、それらが一体的に回転するような構成を採用していることから、ローラ５４Ａ，５４Ｂに対応する別々のシャフトを設ける場合と比較して部品点数を少なくすることができる。この場合、ボールベアリングなどの部品点数も少なくすることができるので、ランプ機構２２の小型・軽量化、ひいてはＨＤＤ１００の小型・軽量化を図ることが可能である。しかしながら、本発明は、これに限られるものではなく、１本のシャフトに１つのローラを固定するような構成を採用しても良いのは勿論である。
【００４０】
なお、上記実施形態では、ローラ５４Ａ，５４Ｂをシャフト５２に一体的に固定する場合について説明したが、例えば、図５に示すように、ローラ５４Ａ、５４Ｂが、シャフト５２に対して上下方向にのみ往復移動可能な状態で設けられるとともに、シャフト５２に形成された突起部５２ａ、５２ｂ（５２ｃ，５２ｄ）それぞれとローラ５４Ａ（５４Ｂ）との間に圧縮コイルばね７２ａ，７２ｂ（７２ｃ，７２ｄ）を設けることとしても良い。このような構成を採用しても、上記実施形態と同様の効果を得ることができる。また、上記のように、回転機構３８の少なくとも一部（ローラ５４Ａ（５４Ｂ））が、磁気ディスク１２Ａ，１２Ｂと接触して上下方向に移動する構成において、ローラ５４Ａ（５４Ｂ）と、シャフト５２との間に、ローラ５４Ａ（５４Ｂ）の移動に応じて弾性変形する弾性部材（圧縮コイルばね７２ａ，７２ｂ（７２ｃ，７２ｄ））を設けているので、図６に示すように、磁気ディスク１２Ａ，１２Ｂの外縁部が上方（又は下方）に変位して、ローラ５４Ａ，５４Ｂに接触し、そのローラ５４Ａ，５４Ｂが上方（又は下方）に移動しても、圧縮コイルばね７２ａ、７２ｃの弾性力によってローラ５４Ａ，５４Ｂの上下方向の移動を吸収することができる。
【００４１】
なお、ローラと突起部との間に介在させる部材としては、圧縮コイルばね以外の弾性部材を採用することとしても良い。この弾性部材としては、所定の圧縮力が付与されることにより弾性変形し、当該所定の圧縮力の付与が解除されることにより原形に復帰しようとする弾性部材であっても良いし、所定の引っ張り力が付与されることにより弾性変形し、当該所定の引っ張り力の付与が解除されることにより原形に復帰しようとする弾性部材であっても良い。すなわち、弾性部材としては、引っ張りコイルバネやその他のバネは勿論、ゴムやスポンジなどの弾性を有する部材を採用することもできる。
【００４２】
また、上記実施形態では、ローラ５４Ａ，５４Ｂとシャフト５２とを一体的に固定し、それらが一体となって回転する場合について説明したが、これに限られるものではなく、例えば、シャフト５２をガイド・保持部３５に固定し、ローラ５４Ａ、５４Ｂをシャフト５２に対して回転自在に取り付けることとしても良い。このような構成を採用することにより、磁気ディスク１２Ａ，１２Ｂとの接触によって回転する部分を小さくすることができるので、回転による騒音の発生を抑制することができる。この場合、シャフト５２とローラ５４Ａ，５４Ｂとの間にボールベアリングを設けても良いし、シャフト５２とローラ５４Ａ，５４Ｂとの間に潤滑剤を塗布することとしても良い。ボールベアリングに用いる潤滑剤やシャフト５２とローラ５４Ａ，５４Ｂとの間に塗布する潤滑剤としては、上記実施形態と同様、磁気ディスク１２Ａ，１２Ｂの潤滑層に用いる潤滑剤と同一の潤滑剤を採用することができる。
【００４３】
また、上記実施形態では、ＨＤＤ１００が磁気ディスクを２枚有する場合について説明したが、これに限らず、１枚又は３枚以上の磁気ディスクを有していても良い。この場合、磁気ディスクの枚数と同数のローラを、１本のシャフトに固定することとしても良いし、複数のシャフトに分けて固定することとしても良い。例えば、ＨＤＤ１００が３枚の磁気ディスクを有する場合には、３つのローラを１本のシャフトに固定することとしても良いし、２本のシャフトの一方に２つのローラを固定し、他方に１つのローラを固定することとしても良いし、３本のシャフトそれぞれに１つずつローラを固定しても良い。
【００４４】
また、上記実施形態では、ローラとシャフトとを別々に形成して固定する場合について説明したが、ローラとシャフトを同一材料により形成することが可能であれば、ローラとシャフトを一部材で一体的に成型することとしても良い。
【００４５】
なお、上記実施形態では、回転機構３８をガイド・保持部３５内に設けた場合について説明したが、これに限らず、回転機構３８を本体部３７ｂ内に設けるようにしても良い。
【００４６】
上述した実施形態は本発明の好適な実施の例である。但し、これに限定されるものではなく、本発明の要旨を逸脱しない範囲内において種々変形実施可能である。
【図面の簡単な説明】
【００４７】
【図１】ＨＤＤの内部構成を示す図である。
【図２】ランプ機構の斜視図である。
【図３】図２のＡ−Ａ線断面図である。
【図４】図３の回転機構の作用を説明するための図である。
【図５】回転機構の変形例を示す図（その１）である。
【図６】回転機構の変形例を示す図（その２）である。
【符号の説明】
【００４８】
１２Ａ，１２Ｂ  磁気ディスク（ディスク媒体）
１６  ヘッドスライダ
２２  ランプ機構
３６  ランプ機構本体（ランプ部）
５２  シャフト（回転部の一部）
５４Ａ，５４Ｂ  ローラ（回転部の一部）
７２ａ〜７２ｄ  圧縮コイルばね（弾性部材）
１００  ハードディスクドライブ（磁気ディスク装置）
【図１】
2009199680.tif 000003
【図２】
2009199680.tif 000004
【図３】
2009199680.tif 000005
【図４】
2009199680.tif 000006
【図５】
2009199680.tif 000007
【図６】
2009199680.tif 000008